(57)【要約】【課題】側方頭部Ｘ線規格写真、後前方向頭部Ｘ線規格写真などを、被検体の頭部の前後方向の傾きが同じ状態で簡単にかつ高い再現性で撮影することができ、しかも眼窩下点支持棒を用いる場合のような危険もないＸ線撮影装置を提供する。【解決手段】Ｘ線撮影装置は、基準線１６を挟んで互いに対向して設けられ、かつ基準線１６の周りに回転可能な一対のアーム１２、１３と、一対のアーム１２、１３の互いに対向する内側面にそれぞれ設けられたイヤーロッド１７、１８と、一方のアーム１３に設けられた、被検体の頭部の前後方向の傾きを設定するための頭部傾き設定装置１９と、頭部傾き設定装置１９の外部に設けられた水平面確認機構とを有する。頭部傾き設定装置１９は、アーム１３またはイヤーロッド１８上の基準点を中心とする、水平線に対する傾斜角度を測定する分度器の機能を有する。【選択図】図１
2014138692.tif 000002
【特許請求の範囲】
【請求項１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
上記透明板の外部に設けられた水平面確認機構とを有するＸ線撮影装置。
【請求項２】
上記頭部傾き設定装置は、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する請求項１記載のＸ線撮影装置。
【請求項３】
上記頭部傾き設定装置は、上記第１の基準点を中心とする、水平線に対する傾斜角度を測定する分度器の機能を有する請求項１または２記載のＸ線撮影装置。
【請求項４】
上記水平面確認機構は、上下動可能もしくは水平面内で移動可能な水平板、水平面内で可視光ビームを走査可能な光学装置または水平な着色線からなる請求項１〜３のいずれか一項記載のＸ線撮影装置。
【請求項５】
上記水平板は水平面内で開閉可能な折り畳み定規状の構成を有する請求項４記載のＸ線撮影装置。
【請求項６】
上記第１の基準点は上記イヤーロッドの最上点である請求項２記載のＸ線撮影装置。
【請求項７】
上記第２の基準点は上記被検体の眼窩骨縁最下点、瞳孔の中心の直下の眼窩縁または眼瞼裂の中心である請求項２記載のＸ線撮影装置。
【請求項８】
上記透明板にＸ線遮蔽材料からなる、長さを示す目盛が設けられている請求項１〜７のいずれか一項記載のＸ線撮影装置。
【請求項９】
上記一対のアームのうちの一方に上記透明板が設けられ、上記一対のアームのうちの他方にＸ線遮蔽材料からなる、長さを示す目盛が設けられた別の透明板が設けられている請求項８記載のＸ線撮影装置。
【請求項１０】
上記Ｘ線撮影装置はセファロＸ線撮影装置である請求項１〜９のいずれか一項記載のＸ線撮影装置。
【請求項１１】
被検体の頭部のＸ線撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための、上記一対のアームのうちの少なくとも一方に設けられた頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、上記透明板の外部に設けられた水平面確認機構とを用いて測定する、Ｘ線撮影を行う際の頭部傾き測定方法。
【請求項１２】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
上記透明板の外部に設けられた水平面確認機構とを有するＸ線撮影装置用スタンド。
【請求項１３】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
上記透明板の外部に設けられた水平面確認機構とを有するＸ線撮影装置用椅子。
【請求項１４】
互いに対向して設けられた一対のアームと、上記一対のアームの互いに対向する内側面にそれぞれ設けられたイヤーロッドとを有するＸ線撮影装置の上記一対のアームのうちの少なくとも一方に設けられ、
被検体の頭部のＸ線撮影を行う際に、上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するために用いられ、
上記アームの外側面に上記イヤーロッドの中心軸に対して垂直に設けられる透明板からなり、上記透明板は水平面確認機構およびＸ線遮蔽材料からなる、長さを示す目盛を備えており、
上記第１の基準点を中心とする、水平線に対する傾斜角度を測定する分度器の機能を有する頭部傾き設定装置。
【請求項１５】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板と、上記透明板に設けられた、水平面内で開閉可能な折り畳み定規状の構成を有する水平板、水平面内で可視光ビームを走査可能な光学装置または上記透明板に平行に設けられた水平な着色線からなる水平面確認機構とを有するものとを有するＸ線撮影装置。
【請求項１６】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板と、上記透明板に設けられた、水平面内で開閉可能な折り畳み定規状の構成を有する水平板、水平面内で可視光ビームを走査可能な光学装置または上記透明板に平行に設けられた水平な着色線からなる水平面確認機構とを有するものとを有するＸ線撮影装置用スタンド。
【請求項１７】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板と、上記透明板に設けられた、水平面内で開閉可能な折り畳み定規状の構成を有する水平板、水平面内で可視光ビームを走査可能な光学装置または上記透明板に平行に設けられた水平な着色線からなる水平面確認機構とを有するものとを有するＸ線撮影装置用椅子。
【請求項１８】
互いに対向して設けられた一対のアームと、上記一対のアームの互いに対向する内側面にそれぞれ設けられたイヤーロッドとを有するＸ線撮影装置の上記一対のアームのうちの少なくとも一方に設けられ、
被検体の頭部のＸ線撮影を行う際に、上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するために用いられ、
上記アームの外側面に上記イヤーロッドの中心軸に対して垂直に設けられる透明板からなり、上記透明板は水平面確認機構およびＸ線遮蔽材料からなる、長さを示す目盛を備えており、上記水平面確認機構は、水平面内で開閉可能な折り畳み定規状の構成を有する水平板、水平面内で可視光ビームを走査可能な光学装置または上記透明板に平行に設けられた水平な着色線からなり、
上記第１の基準点を中心とする、水平線に対する傾斜角度を測定する分度器の機能を有する頭部傾き設定装置。
【発明の詳細な説明】
【技術分野】
【０００１】
この発明は、Ｘ線撮影装置、Ｘ線撮影を行う際の頭部傾き測定方法、Ｘ線撮影装置用スタンドおよびＸ線撮影装置用椅子に関し、例えば、セファロＸ線撮影装置で頭部Ｘ線写真を撮影する際に適用して好適なものである。
【背景技術】
【０００２】
歯列矯正治療などにおいて治療方針を決める際には、患者の頭部Ｘ線規格写真（セファログラム）を撮影し、この頭部Ｘ線規格写真に基づいてセファロ分析を行うのが一般的である（例えば、非特許文献１、２参照。）。従来、頭部Ｘ線規格写真としては、もっぱら側方（側面）頭部Ｘ線規格写真が撮影されている。必要に応じて後前方向（ＰＡ（posteroanterior)）頭部Ｘ線規格写真が撮影されることがあるものの、撮影されることはむしろ稀であり、ましてや、後前方向頭部Ｘ線規格写真から治療に役立つ有用な情報を取得できているとは到底言い難いのが実情である。その大きな原因は、後前方向頭部Ｘ線規格写真を撮影する際の頭部の前後方向の傾きを設定することが極めて難しいため、撮影するたびに頭部の傾きが異なってしまうことにある。頭部の傾きが異なった状態で撮影すると、得られる後前方向頭部Ｘ線規格写真は全く別の印象を与えるものとなる。このため、現状では、そもそも後前方向頭部Ｘ線規格写真は、患者の頭部の骨格などを判断する際の信頼できる資料とはならないと考えられている。
【０００３】
従来、側方頭部Ｘ線規格写真は、患者の頭部のフランクフルト(Frankfort) 平面が床面に平行になる位置で撮影するとされていた（非特許文献１、２参照。）。ここで、フランクフルト平面は、眼窩骨縁最下点（オルビターレ（orbitale) ）と外耳道上縁点（ポリオン（porion) ）とを結ぶ平面である。側方頭部Ｘ線規格写真を撮影する際に、頭部のフランクフルト平面を床面に平行にするために、セファロＸ線撮影装置に、先端が針状に尖った眼窩下点支持棒を患者の顔面を向くように水平面内に設けることが知られている（非特許文献２参照。）。そして、後前方向頭部Ｘ線規格写真についても同様に、フランクフルト平面が床面に平行になる位置で撮影するとされていた（非特許文献２参照。）。
【０００４】
また、歯科矯正学の教科書として世界的に最も評価が高いプロフィト(Proffit) の教科書（非特許文献３参照。）においては、セファロ分析に関し、「セファロ写真は自然頭位（natural head position,ＮＦＰ）で撮影されるべきであり、それによって生理学的に真の水平面を求めることができる」とされている。
【先行技術文献】
【非特許文献】
【０００５】
【非特許文献１】亀田  晃著「矯正臨床における診断法」第５４頁〜第７１頁（医書出版株式会社、昭和５３年６月発行）
【非特許文献２】宮下  邦彦著「カラーアトラス  Ｘ線解剖学とセファロ分析法」第１４６頁〜第１４９頁（クインテッセンス出版株式会社、平成２１年６月１０日発行）
【非特許文献３】William R. Proffit著（高田健治訳）「新版  プロフィトの現代歯科矯正学」（クインテッセンス出版株式会社、２００４年６月１０日発行）
【発明の概要】
【発明が解決しようとする課題】
【０００６】
しかしながら、非特許文献２においては、後前方向頭部Ｘ線規格写真を撮影する際には「頭部の変位により著しく像が異なりやすいので側方撮影を最初に行い、患者に体位を習得させてから行うのが良い。」と記載されているに過ぎず（同文献の第１４７頁第１１行〜第１３行）、後前方向頭部Ｘ線規格写真を撮影する際に患者の頭部のフランクフルト平面を床面に平行にするための具体的な方法については何ら記載されていない。このため、後前方向頭部Ｘ線規格写真と側方頭部Ｘ線規格写真とを、患者の頭部の傾きが同じ状態で撮影することは到底困難であると考えられる。また、この方法では、患者の顔面などが眼窩下点支持棒と接触する恐れがあり危険である。
【０００７】
また、非特許文献３の方法では、後前方向頭部Ｘ線規格写真は勿論、側方頭部Ｘ線規格写真を撮影する際にも、撮影するたびに頭部の傾きが異なってしまうことは避けられず、後前方向頭部Ｘ線規格写真と側方頭部Ｘ線規格写真とを、患者の頭部の傾きが同じ状態で撮影することは到底困難であると考えられる。
【０００８】
さらに、本発明者が知る限り、後前方向頭部Ｘ線規格写真と側方頭部Ｘ線規格写真とを患者の頭部の傾きが同じ状態で簡単に撮影する方法は知られていない。
また、上下顎骨の成長発育を調べるためには、側方頭部Ｘ線規格写真あるいは後前方向頭部Ｘ線規格写真を時間を置いて撮影し、それらの側方頭部Ｘ線規格写真あるいは後前方向頭部Ｘ線規格写真を重ね合わせることにより経年変化を調べることが重要である。しかしながら、上述のように後前方向頭部Ｘ線規格写真および側方頭部Ｘ線規格写真を患者の頭部の傾きが同じ状態で撮影することは困難であったため、この経年変化を調べることは実際上困難であった。
【０００９】
そこで、この発明が解決しようとする課題は、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もないＸ線撮影装置およびＸ線撮影を行う際の頭部傾き測定方法を提供することである。
【００１０】
この発明が解決しようとする他の課題は、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もないＸ線撮影装置用スタンドおよびＸ線撮影装置用椅子を提供することである。
【００１１】
上記課題および他の課題は、添付図面を参照した以下の記述によって明らかとなるであろう。
【課題を解決するための手段】
【００１２】
上記課題を解決するために、この発明は、
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
上記透明板の外部に設けられた水平面確認機構とを有するＸ線撮影装置である。
【００１３】
一対のアームは、典型的には、基準線を挟んで互いに対向して設けられ、かつその基準線の周りに回転可能に構成される。頭部傾き設定装置は、典型的には、一対のアームのイヤーロッドを被検体の両耳の外耳孔に装着した状態で被検体の頭部の傾きを設定する。頭部傾き設定装置は、典型的には、頭部を側方（側面）から見たときに、アームまたはイヤーロッド上の第１の基準点と被検体の顔面の第２の基準点とを結ぶ直線が水平線または水平線に対して所定の角度傾斜した直線になるように頭部の傾きを設定する。頭部傾き設定装置は、好適には、第１の基準点を中心とする、水平線に対する傾斜角度を測定する分度器の機能を有する。この分度器の機能を用いることにより、頭部の前後方向の傾きを正確に設定することができる。第１の基準点を中心とする、水平線に対する傾斜角度は、正の角度（第１の基準点と第２の基準点とを結ぶ直線が水平線に対して上側に傾いている場合）であっても、負の角度（第１の基準点と第２の基準点とを結ぶ直線が水平線に対して下側に傾いている場合）であってもよい。
【００１４】
水平面確認機構は、頭部傾き設定装置を用いて頭部の傾きを設定する際に検査者が水平面を認識するために用いることができる。この水平面確認機構は、例えば、上下動可能もしくは水平面内で移動可能な水平板、水平面内で可視光ビームを走査可能な光学装置（光源および走査機構を含む）、水平な着色線などからなるが、これに限定されるものではない。水平板は単なる板のほか、例えば、水平面内で開閉可能な折り畳み定規状の構成を有するものであってもよい。可視光ビームは、レーザービームまたは発光ダイオードから発光する光をビーム状にしたものである。着色線は、例えば、金属、炭素繊維、プラスチックなどからなる細い直線状のワイヤーの表面を着色したもの、直線状の透明ファイバーにその端面から赤色光や緑色光などの可視光を導波させて着色したもののほか、可視光ビームそのものを用いてもよい。頭部傾き設定装置を構成する透明板には、必要に応じて、Ｘ線遮蔽材料からなる、長さを示す目盛が設けられる。好適には、一対のアームのうちの一方に上記の透明板が設けられ、一対のアームのうちの他方にＸ線遮蔽材料からなる、長さを示す目盛が設けられた別の透明板が設けられる。これらの目盛は、頭部のＸ線撮影により得られる写真あるいは画像において長さの基準とすることができる。
【００１５】
第１の基準点と第２の基準点とを結ぶ直線が頭部のフランクフルト平面またはそれに近い平面になるようにするためには、第１の基準点は、例えばイヤーロッドの最上点（撮影時の被検体の両耳の外耳道上縁点（ポリオン）と一致する）、第２の基準点は、例えば、眼窩骨縁最下点（オルビターレ）、瞳孔の中心の直下の眼窩縁、眼瞼裂の中心などに選ばれる。第１の基準点と第２の基準点とを結ぶ直線がフランクフルト平面またはそれに近い平面にならなくてもよい場合には、第１の基準点および第２の基準点は任意に選ぶことができる。
【００１６】
Ｘ線撮影装置は、例えばセファロＸ線撮影装置であるが、他の医科歯科用Ｘ線撮影装置であってもよく、コンピュータ断層撮影（ＣＴ）装置などであってもよい。被検体の撮影する部位は、典型的には頭部であるが、頭部に加えて頸部も含まれてもよく、頸部のみ撮影してもよい。
【００１７】
また、この発明は、
被検体の頭部のＸ線撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための、上記一対のアームのうちの少なくとも一方に設けられた頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、上記透明板の外部に設けられた水平面確認機構とを用いて測定する、Ｘ線撮影を行う際の頭部傾き測定方法である。
【００１８】
このＸ線撮影を行う際の頭部傾き測定方法の発明においては、その性質に反しない限り、上記のＸ線撮影装置の発明に関連して説明したことが成立する。
【００１９】
また、この発明は、
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
上記透明板の外部に設けられた水平面確認機構とを有するＸ線撮影装置用スタンドである。
【００２０】
ここで、このＸ線撮影装置用スタンドは、典型的には、その頭部傾き設定装置が、撮影時に上記のＸ線撮影装置における頭部傾き設定装置と同じ位置に来るように設置される。
【００２１】
また、この発明は、
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板を有するものと、
上記透明板の外部に設けられた水平面確認機構とを有するＸ線撮影装置用椅子である。
【００２２】
ここで、このＸ線撮影装置用椅子の頭部傾き設定装置は、典型的には、撮影時に上記のＸ線撮影装置における頭部傾き設定装置と同じ位置に来るように設置される。
【００２３】
また、この発明は、
互いに対向して設けられた一対のアームと、上記一対のアームの互いに対向する内側面にそれぞれ設けられたイヤーロッドとを有するＸ線撮影装置の上記一対のアームのうちの少なくとも一方に設けられ、
被検体の頭部のＸ線撮影を行う際に、上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するために用いられ、
上記アームの外側面に上記イヤーロッドの中心軸に対して垂直に設けられる透明板からなり、上記透明板は水平面確認機構およびＸ線遮蔽材料からなる、長さを示す目盛を備えており、
上記第１の基準点を中心とする、水平線に対する傾斜角度を測定する分度器の機能を有する頭部傾き設定装置である。
【００２４】
上記のＸ線撮影装置用スタンド、Ｘ線撮影装置用椅子および頭部傾き設定装置の発明においては、上記以外のことについては、その性質に反しない限り、上記のＸ線撮影装置の発明に関連して説明したことが成立する。
【００２５】
また、この発明は、
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板と、上記透明板に設けられた、水平面内で開閉可能な折り畳み定規状の構成を有する水平板、水平面内で可視光ビームを走査可能な光学装置または上記透明板に平行に設けられた水平な着色線からなる水平面確認機構とを有するものとを有するＸ線撮影装置である。
【００２６】
また、この発明は、
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板と、上記透明板に設けられた、水平面内で開閉可能な折り畳み定規状の構成を有する水平板、水平面内で可視光ビームを走査可能な光学装置または上記透明板に平行に設けられた水平な着色線からなる水平面確認機構とを有するものとを有するＸ線撮影装置用スタンドである。
【００２７】
また、この発明は、
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記アームと一体的に上記イヤーロッドの中心軸に対して垂直に設けられ、または、上記アームの外側面に上記イヤーロッドの中心軸に対して垂直に設けられた透明板と、上記透明板に設けられた、水平面内で開閉可能な折り畳み定規状の構成を有する水平板、水平面内で可視光ビームを走査可能な光学装置または上記透明板に平行に設けられた水平な着色線からなる水平面確認機構とを有するものとを有するＸ線撮影装置用椅子である。
【００２８】
また、この発明は、
互いに対向して設けられた一対のアームと、上記一対のアームの互いに対向する内側面にそれぞれ設けられたイヤーロッドとを有するＸ線撮影装置の上記一対のアームのうちの少なくとも一方に設けられ、
被検体の頭部のＸ線撮影を行う際に、上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するために用いられ、
上記アームの外側面に上記イヤーロッドの中心軸に対して垂直に設けられる透明板からなり、上記透明板は水平面確認機構およびＸ線遮蔽材料からなる、長さを示す目盛を備えており、上記水平面確認機構は、水平面内で開閉可能な折り畳み定規状の構成を有する水平板、水平面内で可視光ビームを走査可能な光学装置または上記透明板に平行に設けられた水平な着色線からなり、
上記第１の基準点を中心とする、水平線に対する傾斜角度を測定する分度器の機能を有する頭部傾き設定装置である。
【００２９】
水平面内で開閉可能な折り畳み定規状の構成を有する水平板、水平面内で可視光ビームを走査可能な光学装置または透明板に平行に設けられた水平な着色線からなる水平面確認機構を有する上記のＸ線撮影装置、Ｘ線撮影装置用スタンド、Ｘ線撮影装置用椅子および頭部傾き設定装置の発明においては、上記以外のことについては、その性質に反しない限り、既に述べたＸ線撮影装置、Ｘ線撮影装置用スタンド、Ｘ線撮影装置用椅子および頭部傾き設定装置の発明に関連して説明したことが成立する。
【発明の効果】
【００３０】
この発明によれば、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もない。
【図面の簡単な説明】
【００３１】
【図１】この発明の第１の実施の形態によるセファロＸ線撮影装置を水平方向かつ中心Ｘ線に対して垂直方向から見た略線図である。
【図２】この発明の第１の実施の形態によるセファロＸ線撮影装置のアームおよびこのアームに設置された頭部傾き設定装置を示す略線図である。
【図３】この発明の第１の実施の形態によるセファロＸ線撮影装置の頭部傾き設定装置の下端面に水平板が接触した状態を示す平面図である。
【図４】この発明の第１の実施の形態によるセファロＸ線撮影装置を用いて側方頭部Ｘ線規格写真を撮影する方法を説明するための略線図である。
【図５】この発明の第１の実施の形態によるセファロＸ線撮影装置を用いて側方頭部Ｘ線規格写真を撮影する方法を説明するための略線図である。
【図６】この発明の第１の実施の形態によるセファロＸ線撮影装置を用いて側方頭部Ｘ線規格写真を撮影する方法を説明するための略線図である。
【図７】この発明の第１の実施の形態によるセファロＸ線撮影装置を用いて頭部が前後方向に１０°傾斜した顔面高位で側方頭部Ｘ線規格写真を撮影する方法を説明するための略線図である。
【図８】この発明の第１の実施の形態によるセファロＸ線撮影装置を用いて後前方向頭部Ｘ線規格写真を撮影する方法を説明するための略線図である。
【図９】この発明の第１の実施の形態によるセファロＸ線撮影装置を用いて後前方向頭部Ｘ線規格写真を撮影する方法を説明するための略線図である。
【図１０】この発明の第１の実施の形態によるセファロＸ線撮影装置を用いて後前方向と前後方向との中間の任意の方向の頭部Ｘ線写真を撮影する方法を説明するための略線図である。
【図１１】この発明の第２の実施の形態によるセファロＸ線撮影装置において用いられるＸ線撮影装置用スタンドを示す正面図である。
【図１２】この発明の第３の実施の形態によるセファロＸ線撮影装置において用いられるＸ線撮影装置用椅子を示す側面図である。
【図１３】この発明の第４の実施の形態によるセファロＸ線撮影装置を説明するための略線図である。
【図１４】この発明の第４の実施の形態によるセファロＸ線撮影装置のアームおよびこのアームに設置されたアーム下部傾き設定装置を示す略線図である。
【図１５】この発明の第５の実施の形態によるセファロＸ線撮影装置において水平面確認機構として用いられる折り畳み定規状水平板の閉じた状態および開いた状態を示す平面図である。
【図１６】この発明の第６の実施の形態によるセファロＸ線撮影装置において水平面確認機構として用いられる水平な着色線を示す平面図である。
【図１７】この発明の第７の実施の形態によるセファロＸ線撮影装置において水平面確認機構として用いられる光学装置を示す平面図である。
【図１８】この発明の第８の実施の形態によるセファロＸ線撮影装置において頭部傾き設定装置の底面に設けられた水平面確認機構としての折り畳み定規状水平板の閉じた状態および開いた状態を下側から見た平面図である。
【図１９】この発明の第９の実施の形態によるセファロＸ線撮影装置において頭部傾き設定装置に平行に設けられた水平面確認機構としての水平な着色線を示す平面図である。
【図２０】この発明の第１０の実施の形態によるセファロＸ線撮影装置において頭部傾き設定装置に設けられた水平面確認機構としての光学装置を示す平面図である。
【図２１】この発明の第１１の実施の形態によるセファロＸ線撮影装置において用いられる、長さを示す目盛が設けられた頭部傾き設定装置を示す側面図である。
【図２２】この発明の第１２の実施の形態によるセファロＸ線撮影装置を示す略線図である。
【図２３】この発明の第１２の実施の形態によるセファロＸ線撮影装置において頭部傾き設定装置が設けられたアームと異なるもう一方のアームの外側面に設けられる、長さを示す目盛が設けられた透明板を示す側面図である。
【図２４】この発明の第１２の実施の形態によるセファロＸ線撮影装置における頭部傾き設定装置の要部を示す断面図である。
【図２５】この発明の第１の実施の形態によるセファロＸ線撮影装置を用いて撮影された被験者１の側方頭部Ｘ線規格写真を示す図面代用写真である。
【図２６】この発明の第１の実施の形態によるセファロＸ線撮影装置を用いて撮影された被験者１の後前方向頭部Ｘ線規格写真を示す図面代用写真である。
【図２７】この発明の第１の実施の形態によるセファロＸ線撮影装置を用いて撮影された被験者２の側方頭部Ｘ線規格写真を示す図面代用写真である。
【図２８】この発明の第１の実施の形態によるセファロＸ線撮影装置を用いて撮影された被験者２の後前方向頭部Ｘ線規格写真を示す図面代用写真である。
【図２９】この発明の第１の実施の形態によるセファロＸ線撮影装置を用いて撮影された被験者３の側方頭部Ｘ線規格写真を示す図面代用写真である。
【図３０】この発明の第１の実施の形態によるセファロＸ線撮影装置を用いて撮影された被験者３の後前方向頭部Ｘ線規格写真を示す図面代用写真である。
【図３１】この発明の第１の実施の形態によるセファロＸ線撮影装置を用いて撮影された被験者４の側方頭部Ｘ線規格写真を示す図面代用写真である。
【図３２】この発明の第１の実施の形態によるセファロＸ線撮影装置を用いて撮影された被験者４の後前方向頭部Ｘ線規格写真を示す図面代用写真である。
【図３３】この発明の第１の実施の形態によるセファロＸ線撮影装置を用いて撮影された被験者５の側方頭部Ｘ線規格写真を示す図面代用写真である。
【図３４】この発明の第１の実施の形態によるセファロＸ線撮影装置を用いて撮影された被験者５の後前方向頭部Ｘ線規格写真を示す図面代用写真である。
【図３５】この発明の第１の実施の形態によるセファロＸ線撮影装置を用いて撮影された被験者６の側方頭部Ｘ線規格写真を示す図面代用写真である。
【図３６】この発明の第１の実施の形態によるセファロＸ線撮影装置を用いて撮影された被験者６の後前方向頭部Ｘ線規格写真を示す図面代用写真である。
【図３７】この発明の第１の実施の形態によるセファロＸ線撮影装置を用いて撮影された被験者７の側方頭部Ｘ線規格写真を示す図面代用写真である。
【図３８】この発明の第１の実施の形態によるセファロＸ線撮影装置を用いて撮影された被験者７の後前方向頭部Ｘ線規格写真を示す図面代用写真である。
【図３９】この発明の第１の実施の形態によるセファロＸ線撮影装置を用いて撮影された被験者８の側方頭部Ｘ線規格写真を示す図面代用写真である。
【図４０】この発明の第１の実施の形態によるセファロＸ線撮影装置を用いて撮影された被験者８の後前方向頭部Ｘ線規格写真を示す図面代用写真である。
【図４１】この発明の第１の実施の形態によるセファロＸ線撮影装置を用いて撮影された被験者９の側方頭部Ｘ線規格写真を示す図面代用写真である。
【図４２】この発明の第１の実施の形態によるセファロＸ線撮影装置を用いて撮影された被験者９の後前方向頭部Ｘ線規格写真を示す図面代用写真である。
【図４３】この発明の第１の実施の形態によるセファロＸ線撮影装置を用いて撮影された被験者１０の側方頭部Ｘ線規格写真を示す図面代用写真である。
【図４４】この発明の第１の実施の形態によるセファロＸ線撮影装置を用いて撮影された被験者１０の後前方向頭部Ｘ線規格写真を示す図面代用写真である。
【図４５】この発明の第１の実施の形態によるセファロＸ線撮影装置を用いて撮影された被験者１１の側方頭部Ｘ線規格写真を示す図面代用写真である。
【図４６】この発明の第１の実施の形態によるセファロＸ線撮影装置を用いて撮影された被験者１１の後前方向頭部Ｘ線規格写真を示す図面代用写真である。
【図４７】この発明の第１の実施の形態によるセファロＸ線撮影装置を用いて撮影された被験者１２の側方頭部Ｘ線規格写真を示す図面代用写真である。
【図４８】この発明の第１の実施の形態によるセファロＸ線撮影装置を用いて撮影された被験者１２の後前方向頭部Ｘ線規格写真を示す図面代用写真である。
【図４９】この発明の第１の実施の形態によるセファロＸ線撮影装置を用いて撮影された被験者１３の側方頭部Ｘ線規格写真を示す図面代用写真である。
【図５０】この発明の第１の実施の形態によるセファロＸ線撮影装置を用いて撮影された被験者１３の後前方向頭部Ｘ線規格写真を示す図面代用写真である。
【図５１】この発明の第１の実施の形態によるセファロＸ線撮影装置を用いて撮影された被験者１４の側方頭部Ｘ線規格写真を示す図面代用写真である。
【図５２】この発明の第１の実施の形態によるセファロＸ線撮影装置を用いて撮影された被験者１４の後前方向頭部Ｘ線規格写真を示す図面代用写真である。
【図５３】この発明の第１の実施の形態によるセファロＸ線撮影装置を用いて撮影された被験者１５の側方頭部Ｘ線規格写真を示す図面代用写真である。
【図５４】この発明の第１の実施の形態によるセファロＸ線撮影装置を用いて撮影された被験者１５の後前方向頭部Ｘ線規格写真を示す図面代用写真である。
【図５５】この発明の第１の実施の形態によるセファロＸ線撮影装置を用いて撮影された被験者１６の側方頭部Ｘ線規格写真を示す図面代用写真である。
【図５６】この発明の第１の実施の形態によるセファロＸ線撮影装置を用いて撮影された被験者１６の後前方向頭部Ｘ線規格写真を示す図面代用写真である。
【図５７】この発明の第１の実施の形態によるセファロＸ線撮影装置を用いて撮影された被験者１７の側方頭部Ｘ線規格写真を示す図面代用写真である。
【図５８】この発明の第１の実施の形態によるセファロＸ線撮影装置を用いて撮影された被験者１７の後前方向頭部Ｘ線規格写真を示す図面代用写真である。
【図５９】この発明の第１の実施の形態によるセファロＸ線撮影装置を用いて撮影された被験者１８の側方頭部Ｘ線規格写真を示す図面代用写真である。
【図６０】この発明の第１の実施の形態によるセファロＸ線撮影装置を用いて撮影された被験者１８の後前方向頭部Ｘ線規格写真を示す図面代用写真である。
【図６１】この発明の第１の実施の形態によるセファロＸ線撮影装置を用いて撮影された被験者１９の後前方向頭部Ｘ線規格写真を示す図面代用写真である。
【図６２】この発明の第１の実施の形態によるセファロＸ線撮影装置を用いて撮影された被験者１９の顔面高位での後前方向頭部Ｘ線規格写真を示す図面代用写真である。
【図６３】この発明の第１の実施の形態によるセファロＸ線撮影装置を用いて撮影された被験者１９の顔面低位での後前方向頭部Ｘ線規格写真を示す図面代用写真である。
【図６４】この発明の第１１の実施の形態によるセファロＸ線撮影装置を用いて撮影された被験者２０の側方頭部Ｘ線規格写真を示す図面代用写真である。
【図６５】この発明の第１１の実施の形態によるセファロＸ線撮影装置を用いて撮影された被験者２１の側方頭部Ｘ線規格写真を示す図面代用写真である。
【図６６】この発明の第１１の実施の形態によるセファロＸ線撮影装置を用いて撮影された被験者２２の側方頭部Ｘ線規格写真を示す図面代用写真である。
【図６７】この発明の第１３の実施の形態において使用するシールを示す平面図である。
【図６８】この発明の第１３の実施の形態において被検体の頭部の顔面にシールを貼る方法を説明するための略線図である。
【図６９】この発明の第１３の実施の形態において被検体の頭部の側面にシールを貼る方法を説明するための略線図である。
【図７０】この発明の第１３の実施の形態において使用するフランクフルト平面指示ゲージを示す平面図、正面図および斜視図である。
【図７１】この発明の第１３の実施の形態において被検体の頭部の顔面にシールを貼る方法を説明するための略線図である。
【図７２】この発明の第１３の実施の形態において被検体の頭部の顔面にシールを貼る方法を説明するための略線図である。
【図７３】この発明の第１３の実施の形態において被検体の頭部の顔面にシールを貼る方法を説明するための略線図である。
【図７４】頭部Ｘ線規格写真における計測点を説明するための略線図である。
【図７５】ディスプレイ上に並列して表示された側方頭部Ｘ線規格写真および後前方向頭部Ｘ線規格写真を示す略線図である。
【図７６】ディスプレイ上に表示された側方頭部Ｘ線規格写真および後前方向頭部Ｘ線規格写真から求められる各種の距離または長さを示す略線図である。
【図７７】ディスプレイ上に表示された側方頭部Ｘ線規格写真および後前方向頭部Ｘ線規格写真から求められる各種の距離または長さを示す略線図である。
【図７８】ディスプレイ上に表示された側方頭部Ｘ線規格写真および後前方向頭部Ｘ線規格写真から求められる各種の距離または長さを示す略線図である。
【図７９】ディスプレイ上に表示された側方頭部Ｘ線規格写真および後前方向頭部Ｘ線規格写真から求められる各種の距離または長さを示す略線図である。
【図８０】ディスプレイ上に表示された側方頭部Ｘ線規格写真および後前方向頭部Ｘ線規格写真から求められる各種の距離または長さを示す略線図である。
【発明を実施するための形態】
【００３２】
以下、発明を実施するための形態（以下、「実施の形態」という。）について説明する。
〈１．第１の実施の形態〉
図１は第１の実施の形態によるセファロＸ線撮影装置を示す。図１に示すように、このセファロＸ線撮影装置は、Ｘ線発生部１１と、アーム１２、１３と、アーム制御装置１４と、Ｘ線検出部１５とを有する。Ｘ線発生部１１はＸ線管１１ａを有し、このＸ線管１１ａからＸ線が発生される。アーム制御装置１４は、図示省略した支持部により床面に対して支持されている。
【００３３】
Ｘ線管１１ａから発生されたＸ線は被検体の頭部に照射され、この頭部を透過したＸ線がＸ線検出部１５に入射し、透過Ｘ線画像が得られる。Ｘ線検出部１５は特に限定されないが、例えば、Ｘ線フィルム、イメージングプレート、半導体検出器などが用いられる。透過Ｘ線画像は、必要に応じて、例えばディジタル画像信号に変換される。
【００３４】
アーム１２、１３は、鉛直線に平行かつ中心Ｘ線と直交する基準線１６を挟んで互いに対向して設けられている。アーム１２、１３の上部はアーム制御装置１４に取り付けられている。そして、アーム１２、１３は、このアーム制御装置１４により、基準線１６の周りに回転可能、基準線１６に平行な方向に昇降可能および水平方向に互いに逆向きに並進移動可能になっている。アーム１２、１３の下部は下端に向かって幅が徐々に狭くなっており下端は円形になっている（図２参照）。また、アーム１２、１３の下端部はそれぞれ、鉛直線に対して内側に所定の角度折り曲げられた後、再び鉛直線に平行になっている。アーム１２、１３は、少なくとも撮影時にＸ線が照射される部分は透明材料により構成され、一般的にはそのほぼ全部が透明材料により構成される。アーム１２、１３の下端部の互いに対向する内側面にはそれぞれ先端が尖った円柱状のイヤーロッド１７、１８が互いに同軸に設けられている。イヤーロッド１７、１８は、従来公知のものを用いることができ、撮影時にその輪郭が写るようになっている。
【００３５】
アーム１２、１３の少なくとも一方の外側面には、被検体の頭部の前後方向の傾きを設定するための頭部傾き設定装置１９が取り付けられている。図１には、アーム１３の外側面に頭部傾き設定装置１９が取り付けられている例が示されている。この場合、この頭部傾き設定装置１９は、イヤーロッド１８の中心軸に垂直な長方形状の透明板からなる。この透明板としては、アクリル板やＰＥＴ（ポリエチレンテレフタレート）板などの透明プラスチック板、ガラス板などを用いることができる。この透明板は、必要な機械的強度が得られ、曲がりにくい厚さであればよいが、例えば、２ｍｍ以上１０ｍｍ以下の厚さである。頭部傾き設定装置１９の取付方法は特に限定されず、接着、クリップ留め、ねじ止めなどのどのようなものであってもよい。
【００３６】
頭部傾き設定装置１９の詳細を図２に示す。図２は頭部傾き設定装置１９をその面に垂直な方向から見た図である。図２に示すように、頭部傾き設定装置１９の下端面（底辺）は水平面に平行になっている。この頭部傾き設定装置１９の下端面は、イヤーロッド１８の最上点でイヤーロッド１８の中心軸に垂直方向に引いた接線方向と一致している。この頭部傾き設定装置１９には、イヤーロッド１８の最上点を中心とした角度目盛１９ａが形成されており、分度器の機能を有する。図２においては、角度目盛１９ａは０°から９０°まで１０°間隔で形成されているが、角度目盛１９ａの付け方はこれに限定されるものではなく、例えば５°間隔あるいは１°間隔で形成してもよいし、特定の範囲内の角度だけ、例えば０°から３０°まで角度目盛１９ａが形成されてもよい。角度目盛１９ａが０°の線は頭部傾き設定装置１９の下端面と一致している。角度目盛１９ａは、典型的には、通常の分度器と同様に例えば黒色に着色された線により形成されるが、これに限定されるものではない。０°を除く角度目盛１９ａは、頭部傾き設定装置１９の片面に設けてもよいが、好適には、両面の互いに対応する位置にそれぞれ設けられる。このように角度目盛１９ａを頭部傾き設定装置１９の両面の互いに対応する位置に設けることにより、この角度目盛１９ａを水平方向から見たとき、両面の角度目盛１９ａが一致する方向が水平方向であり、一致しなければ水平方向からずれていると判断することができる。図３に示すように、頭部傾き設定装置１９の下端面には、この頭部傾き設定装置１９に対して垂直に内側に向かって突出した状態で水平板２０が接触している。ここで、図３はこの状態の頭部傾き設定装置１９および水平板２０の平面図を示す。この水平板２０は、図示省略した移動機構により上下動可能あるいは水平面内で移動可能あるいはそれらの両者が可能に構成されている。移動機構は、アーム１３や床面などに設置することができる。この水平板２０は、例えば、図１において一点鎖線で示した頭部傾き設定装置１９の真下の位置から移動機構により上昇させ、頭部傾き設定装置１９の下端面に接触した時点で停止させ、その状態を保持する。例えば、水平板２０が頭部傾き設定装置１９の下端面に接触した時点でこの下端面に着脱自在に水平板２０が係合するように水平板２０および頭部傾き設定装置１９を構成してもよく、この場合には、水平板２０が頭部傾き設定装置１９の下端面に係合した後に移動機構を下降させることができる。図３に示すように、水平板２０は、イヤーロッド１８から離れた部分に幅広の部分を有する。水平板２０は、水平面を確認する際に視認を容易にするために、好適には着色され、具体的には例えば黒色に着色される。水平板２０は、好適にはＸ線透過画像に写るようにその材質、厚さ、水平方向の幅などが選ばれる。水平板２０の材質は、例えば、アクリルなどの透明プラスチック、不透明プラスチック、金属などである。水平板２０の厚さは、例えば０．２ｍｍ以上２ｍｍ以下であるが、これに限定されるものではない。水平板２０の水平方向の幅は、例えば１ｍｍ以上３０ｍｍ以上であるが、これに限定されるものではない。
【００３７】
次に、このセファロＸ線撮影装置を用いて被検体の頭部Ｘ線撮影を行う方法について説明する。
【００３８】
（１）側方頭部Ｘ線規格写真を撮影する方法
図１において、アーム１２、１３を水平方向に外側に並進移動させて互いに十分な距離離し、かつ十分に高い位置に移動させておく。この状態で、図４に示すように、被検体の頭部２１を、アーム１２、１３の間に、その正中矢状面がＸ線管１１ａからの中心Ｘ線に対して垂直になるように位置させる。被検体は、椅子に座った座位であっても立った状態の立位であってもよい。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入する。そして、イヤーロッド１７、１８の最上点がポリオンに接触するようにすることによって頭部２１を固定し、中心Ｘ線の照射方向がイヤーロッド１７、１８の中心軸と一致するようにする。次に、検査者が頭部２１の顔面の所定の基準点（第２の基準点）、例えば、オルビターレ（Ｏｒ）、瞳孔の中心の直下の眼窩縁、眼瞼裂の中心などを探す。例えば、オルビターレを基準点とする場合は、検査者が指先で眼窩下縁付近を触ることにより探すことができる。そして、図５に示すように、こうして探した基準点に円形の小さな色付きのシール２２を貼る。このシール２２の色は基本的にはどのようなものであってもよいが、例えば、赤色、黄色、緑色、青色、白色、黒色などであってよい。この基準点に貼られたシール２２を、頭部２１の側方から見ることが難しい場合には、顔面上のこのシール２２から水平方向の外側に例えば５〜２０ｍｍ離れた位置にもシール２２を貼る。次に、図６に示すように、検査者が頭部傾き設定装置１９を外側から水平方向に見る。このとき、透明板からなる頭部傾き設定装置１９を透過してシール２２を見ることができる。そして、頭部傾き設定装置１９の角度目盛１９ａを用い、ポリオン（イヤーロッド１８の最上点と一致する）とオルビターレとを結ぶ直線を所望の角度に設定する。図６には、一例として、ポリオンとオルビターレとを結ぶ平面、すなわちフランクフルト平面を水平に設定する場合が示されている。このようにフランクフルト平面を水平に設定する場合には、角度目盛１９ａが０°にある水平板２０を外側から観察する。このとき、水平板２０が線状に見えるときには、水平方向から観察していることになるから、ポリオンとオルビターレとを結ぶ直線がこの水平板２０と一致するように頭部２１の前後方向の傾きを設定する。こうして、頭部２１のフランクフルト平面が水平面（床面）に平行になるように設定される。
【００３９】
上述のようにして頭部２１の傾きを所望の傾きに設定した状態でＸ線撮影を行うことにより、側方頭部Ｘ線規格写真を撮影する。
【００４０】
頭部２１のフランクフルト平面が水平面に対して正または負の角度傾斜した位置で側方頭部Ｘ線規格写真を撮影する一例として、頭部２１のフランクフルト平面が水平面に対して１０°傾斜した状態（顔面高位）で側方頭部Ｘ線規格写真を撮影する場合を図７に示す。図７に示すように、この場合には、頭部傾き設定装置１９の角度目盛１９ａを用い、頭部２１の前後方向の傾きを調整し、ポリオンとオルビターレとを結ぶ直線を１０°の角度に設定する。
【００４１】
（２）後前方向頭部Ｘ線規格写真を撮影する方法
図８に示すように、アーム１２、１３を図１に示す位置から基準線１６の周りに９０°回転させる。そして、図９に示すように、側方頭部Ｘ線規格写真を撮影する場合と同様に、被検体の頭部２１の左右の外耳孔にイヤーロッド１７、１８を挿入し、イヤーロッド１７、１８の最上点がポリオンに接触するようにすることによって頭部２１を固定する。この場合、頭部２１の顔面がＸ線検出部１５に向いている。また、中心Ｘ線の照射方向はイヤーロッド１７、１８の中心軸と直交している。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側方頭部Ｘ線規格写真を撮影する場合と同様にして、頭部傾き設定装置１９の角度目盛１９ａを用い、ポリオンとオルビターレとを結ぶ直線を側方頭部Ｘ線規格写真を撮影した場合と同じ角度に設定する。そして、この位置でＸ線撮影を行うことにより、頭部２１の前後方向の傾きが側方頭部Ｘ線規格写真撮影時と同一の状態で後前方向頭部Ｘ線規格写真を撮影することができる。例えば、側方頭部Ｘ線規格写真も後前方向頭部Ｘ線規格写真も、頭部２１のフランクフルト平面が水平面（床面）に平行になる位置で撮影することができる。
【００４２】
（３）前後方向頭部Ｘ線規格写真を撮影する方法
前後方向頭部Ｘ線規格写真を撮影する方法は、頭部２１の顔面がＸ線発生部１１に向くように頭部２１を位置させることを除いて、後前方向頭部Ｘ線規格写真を撮影する方法と同様である。
【００４３】
（４）後前方向と前後方向との中間の任意の方向から頭部Ｘ線写真を撮影する方法
アーム１２、１３を、図１に示す位置から基準線１６の周りに角度β（０°＜β＜３６０°）だけ回転させる。この状態のセファロＸ線撮影装置および頭部の平面図を図１０に示す。そして、側方頭部Ｘ線規格写真を撮影する場合と同様に、被検体の頭部２１の左右の外耳孔にイヤーロッド１７、１８を挿入し、イヤーロッド１７、１８の最上点がポリオンに接触するようにすることによって頭部２１を固定する。この場合、中心Ｘ線の照射方向はイヤーロッド１７、１８の中心軸に対して角度β傾斜している。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側方頭部Ｘ線規格写真を撮影する場合と同様にして、頭部傾き設定装置１９の角度目盛１９ａを用い、ポリオンとオルビターレとを結ぶ直線を側方頭部Ｘ線規格写真を撮影した場合と同じ角度に設定する。そして、この位置でＸ線撮影を行うことにより、頭部２１の前後方向の傾きが側方頭部Ｘ線規格写真撮影時と同一の状態で頭部Ｘ線写真を撮影することができる。例えば、この頭部Ｘ線写真を、側方頭部Ｘ線規格写真および後前方向頭部Ｘ線規格写真と同様に、頭部２１のフランクフルト平面が水平面（床面）に平行になる位置で撮影することができる。
【００４４】
この第１の実施の形態によるセファロＸ線撮影装置によれば、次のような種々の利点を得ることができる。すなわち、頭部傾き設定装置１９を用いて撮影時の頭部２１の前後方向の傾きを所望の傾きに設定することができることにより、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部２１の前後方向の傾きが同じ状態で簡単にかつ高い再現性で撮影することができる。このため、例えば、側方頭部Ｘ線規格写真あるいは後前方向頭部Ｘ線規格写真を時間を置いて撮影する場合、例えばある時期に撮影してから１年後に撮影する場合においても、頭部２１の前後方向の傾きが同一の状態で撮影することができる。このように頭部２１の前後方向の傾きが常に同一の状態で撮影することができるため、側方頭部Ｘ線規格写真あるいは前後方向頭部Ｘ線規格写真の重ね合わせを容易に行うことができる。これによって、頭部２１の上下顎骨の経年変化を正確に調べることが可能となり、上下顎骨の成長発育を正確に調べることが可能となる。加えて、第１の実施の形態においては、眼窩下点支持棒を用いないので、眼窩下点支持棒を用いる場合の危険もない。
【００４５】
〈２．第２の実施の形態〉
第２の実施の形態によるセファロＸ線撮影装置においては、第１の実施の形態によるセファロＸ線撮影装置のようにアーム１３に頭部傾き設定装置１９が設置されているのではなく、セファロＸ線撮影装置に付属するＸ線撮影装置用スタンドに頭部傾き設定装置１９が設置されている。
【００４６】
図１１にこのＸ線撮影装置用スタンドを示す。図１１に示すように、このＸ線撮影装置用スタンドは、床面に置かれる支持台５１と、この支持台５１に対して垂直に立てられた支持棒５２と、この支持棒５２の上端に取り付けられた頭部傾き設定装置１９とを有する。支持棒５２は伸縮自在に構成され、その長さを所定の範囲で調節することができるようになっている。このため、支持棒５２の長さを調節することにより、頭部傾き設定装置１９の高さを調節することができ、これによって頭部傾き設定装置１９と頭部２１との位置関係を第１の実施の形態と同様に設定することができる。頭部傾き設定装置１９および水平板２０については、第１の実施の形態と同様である。
【００４７】
次に、このセファロＸ線撮影装置を用いて被検体の頭部Ｘ線撮影を行う方法について説明する。
【００４８】
（１）側方頭部Ｘ線規格写真を撮影する方法
アーム１２に頭部傾き設定装置１９が設置されていない図１に示すセファロＸ線撮影装置において、アーム１２、１３を水平方向に外側に並進移動させて互いに十分な距離離し、かつ十分に高い位置に移動させておく。この状態で、図４に示すように、被検体の頭部２１を、アーム１２、１３の間に、その正中矢状面がＸ線管１１ａからの中心Ｘ線に対して垂直になるように位置させる。被検体は、椅子に座った座位であっても立った状態の立位であってもよい。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入し、イヤーロッド１７、１８の最上点がポリオンに接触するようにすることによって頭部を固定し、中心Ｘ線の照射方向がイヤーロッド１７、１８の中心軸と一致するようにする。次に、検査者が頭部２１の顔面の所定の基準点、具体的には例えばオルビターレを探す。そして、図５に示すように、この基準点にシール２２を貼る。次に、図１１に示すＸ線撮影装置用スタンドを床面上で移動させ、支持棒５２の上端に取り付けられた頭部傾き設定装置１９が被検体の頭部２１に対して図４に示す位置と同じ位置になるようにする。すなわち、頭部傾き設定装置１９がアーム１３の外側面に接触するようにする。そして、この状態で、第１の実施の形態と同様にして、検査者が、頭部傾き設定装置１９の角度目盛１９ａを用い、ポリオンとオルビターレとを結ぶ直線を所望の角度に設定する。そして、この位置でＸ線撮影を行うことにより、側方頭部Ｘ線規格写真を撮影する。
【００４９】
（２）後前方向頭部Ｘ線規格写真を撮影する方法
後前方向頭部Ｘ線規格写真を撮影する場合も、支持棒５２の上端に取り付けられた頭部傾き設定装置１９を用いて、第１の実施の形態と同様にして撮影することができる。
【００５０】
（３）前後方向頭部Ｘ線規格写真を撮影する方法
前後方向頭部Ｘ線規格写真を撮影する場合も、支持棒５２の上端に取り付けられた頭部傾き設定装置１９を用いて、第１の実施の形態と同様にして撮影することができる。
【００５１】
（４）後前方向と前後方向との中間の任意の方向から頭部Ｘ線写真を撮影する方法
後前方向と前後方向との中間の任意の方向から頭部Ｘ線写真を撮影する場合も、支持棒５２の上端に取り付けられた頭部傾き設定装置１９を用いて、第１の実施の形態と同様にして撮影することができる。
【００５２】
この第２の実施の形態によれば、第１の実施の形態と同様な利点を得ることができる。
【００５３】
〈３．第３の実施の形態〉
第３の実施の形態によるセファロＸ線撮影装置においては、第１の実施の形態によるセファロＸ線撮影装置のようにアーム１３に頭部傾き設定装置１９が設置されているのではなく、セファロＸ線撮影装置に付属するＸ線撮影装置用椅子に頭部傾き設定装置１９が設置されている。
【００５４】
図１２にこのＸ線撮影装置用椅子を示す。図１２に示すように、このＸ線撮影装置用椅子は、床面に置かれる支持台６１と、この支持台６１に対して垂直に立てられた支持棒６２と、この支持棒６２の上端に取り付けられた本体部６３と、この本体部６３に取り付けられた支持部材６４と、この支持部材６４の上端に取り付けられた頭部傾き設定装置１９とを有する。本体部６３は座面６３ａと背もたれ６３ｂとからなる。支持棒６２は伸縮自在に構成され、座面６３ａの高さを調節することができるようになっている。支持部材６４は、本体部６３の背もたれ６３ｂの背面に取り付けられている。支持部材６４は水平部と鉛直部とからなり、水平部は背もたれ６３ｂに対して水平方向に伸縮自在に、鉛直部は鉛直線の方向に伸縮自在に構成されている。このため、このＸ線撮影装置用椅子の床面上の位置、座面６３ａの高さ、支持部材６４の水平部および鉛直部の長さなどを調節することにより、頭部傾き設定装置１９と頭部２１との位置関係を第１の実施の形態と同様に設定することができる。頭部傾き設定装置１９および水平板２０については、第１の実施の形態と同様である。
【００５５】
次に、このセファロＸ線撮影装置を用いて被検体の頭部Ｘ線撮影を行う方法について説明する。
【００５６】
（１）側方頭部Ｘ線規格写真を撮影する方法
アーム１３に頭部傾き設定装置１９が設置されていない図１に示すセファロＸ線撮影装置において、アーム１２、１３を水平方向に外側に並進移動させて互いに十分な距離離し、かつ十分に高い位置に移動させておく。この状態で、図４に示すように、被検体の頭部２１を、アーム１２、１３の間に、その正中矢状面がＸ線管１１ａからの中心Ｘ線に対して垂直になるように位置させる。被検体は、図１２に示すＸ線撮影装置用椅子に座らせる。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入し、イヤーロッド１７、１８の最上点がポリオンに接触するようにすることによって頭部を固定し、中心Ｘ線の照射方向がイヤーロッド１７、１８の中心軸と一致するようにする。次に、検査者が頭部２１の顔面の所定の基準点、具体的には例えばオルビターレを探す。そして、図５に示すように、この基準点にシール２２を貼る。次に、Ｘ線撮影装置椅子の床面上の位置、座面６３ａの高さ、支持部材６４の水平部および鉛直部の長さなどを調節することにより、頭部傾き設定装置１９が被検体の頭部２１に対して図４に示す位置と同じ位置になるようにする。すなわち、頭部傾き設定装置１９がアーム１３の外側面に接触するようにする。そして、この状態で、第１の実施の形態と同様にして、検査者が、頭部傾き設定装置１９の角度目盛１９ａを用い、ポリオンとオルビターレとを結ぶ直線を所望の角度に設定する。そして、この位置でＸ線撮影を行うことにより、側方頭部Ｘ線規格写真を撮影する。
【００５７】
（２）後前方向頭部Ｘ線規格写真を撮影する方法
後前方向頭部Ｘ線規格写真を撮影する場合も、図１２に示すＸ線撮影装置用椅子に取り付けられた頭部傾き設定装置１９を用いて、第１の実施の形態と同様にして撮影することができる。
【００５８】
（３）前後方向頭部Ｘ線規格写真を撮影する方法
前後方向頭部Ｘ線規格写真を撮影する場合も、図１２に示すＸ線撮影装置用椅子に取り付けられた頭部傾き設定装置１９を用いて、第１の実施の形態と同様にして撮影することができる。
【００５９】
（４）後前方向と前後方向との中間の任意の方向から頭部Ｘ線写真を撮影する方法
後前方向と前後方向との中間の任意の方向から頭部Ｘ線写真を撮影する場合も、図１２に示すＸ線撮影装置用椅子に取り付けられた頭部傾き設定装置１９を用いて、第１の実施の形態と同様にして撮影することができる。
【００６０】
この第３の実施の形態によれば、第１の実施の形態と同様な利点を得ることができる。
【００６１】
〈４．第４の実施の形態〉
図１３は第４の実施の形態によるセファロＸ線撮影装置を示す。図１３に示すように、このセファロＸ線撮影装置においては、アーム１２、１３の下部１２ａ、１３ａを上部１２ｂ、１３ｂに対して所定の範囲内の角度に折り曲げることができ、その角度で固定することができるようになっている。ここで、アーム１２の下部１２ａは図１３の点Ｃ1 の周りに、アーム１３の下部１３ａは図１３の点Ｃ2 の周りに回転することができるようになっている。また、アーム１２、１３は、アーム制御装置１４により、互いに独立に、基準線１６に平行な方向に昇降可能になっている。言い換えると、アーム１２、１３の下部１２ａ、１３ａを互いに異なる高さに位置させることができる。
【００６２】
アーム１２、１３の上部１２ｂ、１３ｂの一方のエッジには、アーム１２、１３の下部１２ａ、１３ａの、上部１２ｂ、１３ｂに対する傾斜角度（上部１２ｂ、１３ｂが鉛直線に平行とすると鉛直線に対する角度γ）を設定するための、鉛直線に平行な長方形状の透明板からなるアーム下部傾き設定装置７１が取り付けられている。アーム下部傾き設定装置７１の取付方法は特に限定されず、接着、クリップ留め、ねじ止めなどのどのようなものであってもよい。
【００６３】
アーム下部傾き設定装置７１の詳細を図１４に示す。図１４はアーム１３の上部１３ｂのエッジに取り付けられたアーム下部傾き設定装置７１をその面に垂直な方向から見た図である。図１４に示すように、このアーム下部傾き設定装置７１には、アーム１２、１３の下部１２ａ、１３ａの点Ｃ1 、Ｃ2 を中心とした角度目盛７１ａが形成されており、分度器の機能を有する。図１４においては、角度目盛７１ａは０°から９０°まで１０°間隔で形成されているが、角度目盛７１ａの付け方はこれに限定されるものではなく、例えば５°間隔あるいは１°間隔で形成してもよいし、特定の範囲内の角度だけ、例えば０°から３０°まで角度目盛りが形成されてもよい。角度目盛７１ａが０°の線は鉛直線である。角度目盛７１ａは、典型的には、通常の分度器と同様に例えば黒色に着色された線により形成されるが、これに限定されるものではない。角度目盛７１ａは、アーム下部傾き設定装置７１の片面に設けてもよいが、好適には、両面の互いに対応する位置にそれぞれ設けられる。このように角度目盛７１ａをアーム下部傾き設定装置７１の両面の互いに対応する位置に設けることにより、この角度目盛７１ａを水平方向から見たとき、両面の角度目盛７１ａが一致する方向が水平方向であり、一致しなければ水平方向からずれていると判断することができる。
【００６４】
このセファロＸ線撮影装置の上記以外の構成は、第１の実施の形態によるセファロＸ線撮影装置と同様である。
【００６５】
次に、このセファロＸ線撮影装置を用いて被検体の頭部Ｘ線撮影を行う方法について説明する。
【００６６】
図１３において、アーム１２、１３を水平方向に外側に並進移動させて互いに十分な距離離し、かつ十分に高い位置に移動させておく。また、アーム１２、１３を、イヤーロッド１７、１８の中心軸の中心Ｘ線に対する傾斜角度β（図１０参照）が所望の角度となるように、基準線１６の周りに回転させる。この状態で、図１３に示すように、被検体の頭部２１を、アーム１２、１３の間に、その正中矢状面がＸ線管１１ａからの中心Ｘ線に対して角度γ（０°≦γ≦９０°）傾斜するように位置させる。この場合、被検体は、正中矢状面が床面に対して傾斜するため、その位置に頭部２１を保持することができるようにするために、例えば、床面に対する座面の傾斜角度を調節することができる椅子に座り、体幹部を鉛直線に対して傾斜させた状態でバンドで留めて固定したりする。被検体の頭部２１の正中矢状面を中心Ｘ線に対して角度γ傾斜させるためには、アーム下部傾き設定装置７１を用いる。すなわち、図１４に示すように、アーム下部傾き設定装置７１の角度目盛７１ａを用いて、アーム１２、１３の下部１２ａ、１３ａを上部１２ｂ、１３ｂに対して所望の角度γに折り曲げる。図１４においては、γ＝２０°の場合が示されている。この状態で、アーム１２、１３を互いに独立に下降させることにより、イヤーロッド１７、１８が被検体の頭部２１の左右の外耳孔の高さ位置に来るようにする。次に、アーム１２、１３を水平方向に内側に並進移動させるとともに、アーム１２、１３を互いに独立に下降させることにより、被検体の頭部２１の左右の外耳孔にイヤーロッド１７、１８を挿入し、イヤーロッド１７、１８の最上点がポリオンに接触するようにすることによって頭部２１を固定する。頭部２１の顔面の所定の基準点には予めシール２２を貼っておく。次に、検査者が頭部傾き設定装置１９を外側からこの頭部傾き設定装置１９に対して垂直な方向に見る。このとき、頭部傾き設定装置１９を透過してシール２２も見ることができる。そして、頭部傾き設定装置１９の角度目盛１９ａを用い、ポリオンとオルビターレとを結ぶ直線を所望の角度αに設定する。そして、この位置でＸ線撮影を行うことにより頭部Ｘ線写真を撮影することができる。
【００６７】
この第４の実施の形態によれば、頭部２１の前後方向の傾斜角度αに加えて、角度β、γをそれぞれ設定することにより、任意の方向から頭部Ｘ線写真を撮影することができ、互いに異なる複数の方向からの頭部Ｘ線写真を撮影することにより三次元的にセファロ分析を行うことができる。また、複数の方向から頭部Ｘ線写真を撮影し、こうして撮影された複数の二次元画像から三次元画像を合成することもできる。
【００６８】
〈５．第５の実施の形態〉
図１５ＡおよびＢは、第５の実施の形態によるセファロＸ線撮影装置において水平面確認機構として用いる折り畳み定規状水平板８１を示す。ここで、図１５Ａはこの折り畳み定規状水平板８１が閉じた状態、図１５Ｂはこの折り畳み定規状水平板８１が開いた状態を示す。図１５ＡおよびＢに示すように、この折り畳み定規状水平板８１は、一端に設けられた共通の回転軸の周りに回転可能な二つの細長い短冊状部８１ａ、８１ｂを有する。第１の実施の形態と同様に、この折り畳み定規状水平板８１は、図示省略した移動機構により上下動可能あるいは水平面内で移動可能あるいはそれらの両者が可能に構成されている。この折り畳み定規状水平板８１を、頭部傾き設定装置１９の下端面に接触させる。この際、例えば、この折り畳み定規状水平板８１の長手方向が頭部傾き設定装置１９と平行になるようにする。この折り畳み定規状水平板８１は、図１５Ａに示すような閉じた状態で水平面を確認するために用いてもよいし、図１５Ｂに示すように開いた状態で水平面を確認するために用いてもよい。また、例えば、折り畳み定規状水平板８１の短冊状部８１ａを頭部傾き設定装置１９の下端面に接触させた状態で、短冊状部８１ａに対して短冊状部８１ｂを外側に回転させることにより、短冊状部８１ｂの先端を被検体の頭部２１の顔面に接近させることができる。頭部傾き設定装置１９に対する折り畳み定規状水平板８１の設置位置、折り畳み定規状水平板８１の長さ、折り畳み定規状水平板８１の開き角などを選ぶことにより、短冊状部８１ｂの先端を被検体の頭部２１の顔面の例えばオルビターレに近い位置に接近させることができる。こうすることで、被検体の頭部２１の前後方向の傾きを正確に設定することができる。
【００６９】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００７０】
この第５の実施の形態によれば、第１の実施の形態と同様な利点を得ることができる。
【００７１】
〈６．第６の実施の形態〉
図１６は、第６の実施の形態によるセファロＸ線撮影装置において水平面確認機構として用いる水平な着色線８２を示す。この着色線８２は、典型的には頭部傾き設定装置１９と平行に設けられるが、頭部傾き設定装置１９に対して斜めに設けられてもよい。この着色線８２は、鉄鋼（スチール）などの金属、炭素繊維、プラスチックなどからなる例えば断面の径が０．５ｍｍ以上２ｍｍ以下の細い直線状のワイヤーの表面を着色したもの、ガラスやプラスチックなどからなる直線状の透明ファイバーにその端面から赤色光や緑色光などの可視光（レーザ光や発光ダイオードからの光）を導波させて着色したもののほか、可視光ビームそのものを用いてもよい。この場合、この着色線８２を水平板２０の代わりに用いることにより水平面を確認することができる。
【００７２】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００７３】
この第６の実施の形態によれば、第１の実施の形態と同様な利点を得ることができる。
【００７４】
〈７．第７の実施の形態〉
図１７は、第７の実施の形態によるセファロＸ線撮影装置において水平面確認機構として用いる光学装置８３を示す。この光学装置８３は、水平面内で可視光ビーム８５を走査可能な光源および走査機構を含む。可視光ビーム８５は、レーザービームまたは発光ダイオードから発光する光をビーム状にしたものである。可視光ビーム８５としては、例えば赤色光のビームや緑色光のビームなどが用いられる。光学装置８３の周囲には、光学装置８３を入射Ｘ線から保護するための鉛などのＸ線遮蔽材料からなるＸ線遮蔽カバー８４が設けられている。Ｘ線遮蔽カバー８４は、Ｘ線入射方向を考慮して光学装置８３を入射Ｘ線から遮蔽することができるように適宜設計される。この場合、この可視光ビーム８５を水平板２０の代わりに用いることにより水平面を確認することができる。例えば、頭部傾き設定装置１９を外側から水平方向に見たとき、頭部傾き設定装置１９の角度０°に相当する水平線と可視光ビーム８５とは一致している。このとき、可視光ビーム８５を被検体の頭部２１の顔面側に走査し、可視光ビーム８５の先端がオルビターレに一致していることを視認できれば、頭部２１のフランクフルト平面が床面に平行になっていると判断することができる。この場合には、必ずしも顔面にシール２２を貼らなくても済む。
【００７５】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００７６】
この第７の実施の形態によれば、第１の実施の形態と同様な利点を得ることができる。
【００７７】
〈８．第８の実施の形態〉
図１８ＡおよびＢは、第８の実施の形態によるセファロＸ線撮影装置において水平面確認機構として用いる折り畳み定規状水平板８１を頭部傾き設定装置１９の底面側から見た図を示す。ここで、図１８Ａはこの折り畳み定規状水平板８１が閉じた状態、図１８Ｂはこの折り畳み定規状水平板８１が開いた状態を示す。図１８ＡおよびＢに示すように、この折り畳み定規状水平板８１は、一端に設けられた共通の回転軸の周りに回転可能な二つの細長い短冊状部８１ａ、８１ｂを有する。この折り畳み定規状水平板８１のうちの短冊状部８１ａは、接着などの方法により頭部傾き設定装置１９の下端面に、頭部傾き設定装置１９に平行に取り付けられている。この折り畳み定規状水平板８１は、図１８Ａに示すような閉じた状態で水平面を確認するために用いてもよいし、図１８Ｂに示すように開いた状態で水平面を確認するために用いてもよい。また、例えば、折り畳み定規状水平板８１の短冊状部８１ｂを短冊状部８１ａに対して外側に回転させることにより、短冊状部８１ｂの先端を被検体の頭部２１の顔面に接近させることができる。頭部傾き設定装置１９に対する折り畳み定規状水平板８１の設置位置、折り畳み定規状水平板８１の長さ、折り畳み定規状水平板８１の開き角などを選ぶことにより、短冊状部８１ｂの先端を被検体の頭部２１の顔面の例えばオルビターレに近い位置に接近させることができる。こうすることで、被検体の頭部２１の前後方向の傾きを正確に設定することができる。
【００７８】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００７９】
この第８の実施の形態によれば、第１の実施の形態と同様な利点を得ることができる。
【００８０】
〈９．第９の実施の形態〉
図１９は、第９の実施の形態によるセファロＸ線撮影装置において水平面確認機構として用いる水平な着色線８２を示す。この着色線８２は、頭部傾き設定装置１９の一方の側面に保持具８６、８７により保持されている。この着色線８２は、典型的には、頭部傾き設定装置１９と平行に設けられるが、頭部傾き設定装置１９に対して斜めに設けられてもよい。この着色線８２は、例えば、鉄鋼（スチール）などの金属、炭素繊維、プラスチックなどからなる例えば断面の径が０．５ｍｍ以上２ｍｍ以下の細い直線状のワイヤーの表面を着色したもの、ガラスやプラスチックなどからなる直線状の透明ファイバーにその端面から赤色光や緑色光などの可視光（レーザ光や発光ダイオードからの光）を導波させて着色したものなどが用いられる。この場合、この着色線８２を水平板２０の代わりに用いることにより水平面を確認することができる。
【００８１】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００８２】
この第９の実施の形態によれば、第１の実施の形態と同様な利点を得ることができる。
【００８３】
〈１０．第１０の実施の形態〉
図２０は、第１０の実施の形態によるセファロＸ線撮影装置において水平面確認機構として用いる光学装置８３を示す。この光学装置８３は、水平面内で可視光ビーム８５を走査可能な光源および走査機構を含む。可視光ビーム８５は、レーザービームまたは発光ダイオードから発光する光をビーム状にしたものである。可視光ビーム８５としては、例えば赤色光のビームや緑色光のビームなどが用いられる。光学装置８３の周囲には、光学装置８３を入射Ｘ線から保護するための鉛などのＸ線遮蔽材料からなるＸ線遮蔽カバー８４が設けられている。Ｘ線遮蔽カバー８４は保持具８８により頭部傾き設定装置１９の側面に固定されている。Ｘ線遮蔽カバー８４は、Ｘ線入射方向を考慮して光学装置８３を入射Ｘ線から遮蔽することができるように適宜設計される。この場合、この可視光ビーム８５を水平板２０の代わりに用いることにより水平面を確認することができる。例えば、頭部傾き設定装置１９を外側から水平方向に見たとき、頭部傾き設定装置１９の角度０°に相当する水平線と可視光ビーム８５とは一致している。このとき、可視光ビーム８５を被検体の頭部２１の顔面側に走査し、可視光ビーム８５の先端がオルビターレに一致していることを視認できれば、頭部２１のフランクフルト平面が床面に平行になっていると判断することができる。この場合には、必ずしも顔面にシール２２を貼らなくても済む。
【００８４】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００８５】
この第１０の実施の形態によれば、第１の実施の形態と同様な利点を得ることができる。
【００８６】
〈１１．第１１の実施の形態〉
図２１は、第１１の実施の形態によるセファロＸ線撮影装置において用いられる頭部傾き設定装置１９を示す。図２１に示すように、頭部傾き設定装置１９の側面に、鉛や鉄鋼（スチール）などのＸ線遮蔽材料からなるマーク９１、９２が設けられている。マーク９１、９２を設ける位置は基本的には任意であるが、Ｘ線撮影により得られる画像上でマーク９１、９２のコントラストを高くするためには、好適には、マーク９１、９２の画像が被検体の頭部２１の外部の領域に来るようにするが、これに限定されるものではない。図２１においては、頭部傾き設定装置１９の下端部の側面にマーク９１、９２が設けられており、この場合、マーク９１の中心とマーク９２の中心とを結ぶ直線は頭部傾き設定装置１９の下端面と平行である。マーク９１の中心とマーク９２の中心との間の距離、すなわち長さを示す目盛は適宜選ばれるが、例えば、５ｃｍあるいは１０ｃｍである。Ｘ線撮影により得られる画像上でコンピュータ処理によりマーク９１、９２を検出する場合には、好適には、マーク９１、９２の像が二重線の輪郭で検出されるようにマーク９１、９２を形成する。マーク９１、９２は、頭部傾き設定装置１９を構成する透明板上に設けられてもよいし、この透明板中に埋設されてもよいし、この透明板を貫通して設けられてもよい。頭部傾き設定装置１９を側面から見たときのマーク９１、９２の形状は、基本的にはどのような形状であってもよく、必要に応じて選ばれるが、具体的には、例えば、円形、三角形、四角形、六角形などである。
【００８７】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００８８】
この第１１の実施の形態によれば、第１の実施の形態と同様な利点を得ることができることに加えて、次のような利点を得ることができる。すなわち、頭部傾き設定装置１９にＸ線遮蔽材料からなるマーク９１、９２が設けられ、これらのマーク９１、９２により長さを示す目盛が設けられている。このため、頭部２１のＸ線撮影を行う場合、Ｘ線検出部１５により検出される透過Ｘ線画像においては、頭部２１の像に加えてマーク９１、９２の像も撮影され、従って長さを示す目盛が画像に表示される。この場合、透過Ｘ線画像上のマーク９１、９２の像の中心間距離は、頭部傾き設定装置１９上のマーク９１、９２の中心間距離に比べて拡大されている。拡大率Ｍは、Ｍ＝（中心Ｘ線上のＸ線管１１ａとＸ線検出部１５の検出面との間の距離）／（中心Ｘ線上のＸ線管１１ａと頭部傾き設定装置１９のマーク９１、９２との間の距離）である。頭部２１の正中矢状面上での拡大率ｍは、ｍ＝Ｍ×〔（中心Ｘ線上のＸ線管１１ａとＸ線検出部１５の検出面との間の距離）／（中心Ｘ線上のＸ線管１１ａと頭部２１の正中矢状面との間の距離）〕であり、この式を用いて透過Ｘ線画像上の拡大率から頭部２１の正中矢状面上での実際の距離を求めることができる。
【００８９】
〈１２．第１２の実施の形態〉
図２２は、第１２の実施の形態によるセファロＸ線撮影装置を示す。図２２に示すように、このセファロＸ線撮影装置においては、第１の実施の形態によるセファロＸ線撮影装置の構成に加えて、図示省略したアーム１２の外側面に透明板９３が設けられている。この透明板９３を図２３に示す。図２３に示すように、この透明板９３には、第１１の実施の形態の頭部傾き設定装置１９と同様に、マーク９４、９５が設けられている。これらのマーク９４、９５はマーク９１、９２と同様な位置に同様な構成で設けることができる。
【００９０】
マーク９１、９２を頭部傾き設定装置１９の厚さ方向に貫通して設けた一例を図２４に示す。図２４に示すように、マーク９１は釘あるいはリベット状の形状を有し、頭部傾き設定装置１９の厚さ方向に貫通している。
【００９１】
このセファロＸ線撮影装置の上記以外の構成は、第１の実施の形態によるセファロＸ線撮影装置と同様である。また、このセファロＸ線撮影装置を用いて被検体の頭部Ｘ線撮影を行う方法も、基本的には第１の実施の形態と同様である。
【００９２】
この第１２の実施の形態によれば、第１の実施の形態と同様な利点を得ることができることに加えて、次のような利点を得ることができる。すなわち、アーム１３の外側面に設けられた頭部傾き設定装置１９にＸ線遮蔽材料からなるマーク９１、９２が設けられ、これらのマーク９１、９２により長さを示す目盛が設けられている。また、アーム１２の外側面に設けられた透明板９３にＸ線遮蔽材料からなるマーク９４、９５が設けられ、これらのマーク９４、９５により長さを示す目盛が設けられている。このため、頭部２１のＸ線撮影を行う場合、Ｘ線検出部１５により検出される透過Ｘ線画像においては、頭部２１の像に加えてマーク９１、９２およびマーク９４、９５の像も撮影される。この場合、透過Ｘ線画像上のマーク９１、９２の像の中心間距離は、頭部傾き設定装置１９上のマーク９１、９２の中心間距離に比べて拡大されている。その拡大率Ｍ1 は、Ｍ1 ＝（中心Ｘ線上のＸ線管１１ａとＸ線検出部１５の検出面との間の距離）／（中心Ｘ線上のＸ線管１１ａと頭部傾き設定装置１９のマーク９１、９２との間の距離）である。また、透過Ｘ線画像上のマーク９４、９５の像の中心間距離は、透明板９３上のマーク９４、９５の中心間距離に比べて拡大されている。その拡大率Ｍ2 は、Ｍ2 ＝（中心Ｘ線上のＸ線管１１ａとＸ線検出部１５の検出面との間の距離）／（中心Ｘ線上のＸ線管１１ａと透明板９３のマーク９４、９５との間の距離）である。頭部２１の正中矢状面上での拡大率ｍは、ｍ＝（Ｍ1 ＋Ｍ2 ）／２であり、この式を用いて透過Ｘ線画像上の拡大率から頭部２１の正中矢状面上での実際の距離を求めることができる。
【００９３】
［実施例］
被験者１〜１８の側方頭部Ｘ線規格写真および後前方向頭部Ｘ線規格写真を、頭部傾き設定装置１９を用いることにより、頭部２１のフランクフルト平面が床面に平行になる位置で撮影した。撮影は中心咬合位またはそれに準じる位置で行った。図２５、図２７、図２９、図３１、図３３、図３５、図３７、図３９、図４１、図４３、図４５、図４７、図４９、図５１、図５３、図５５、図５７および図５９はそれぞれ被験者１〜１８の側方頭部Ｘ線規格写真を示す。ここで、図２５、図２７、図２９、図３１、図３３、図３５、図３７、図３９、図４１、図４３、図４５、図４７、図４９、図５１、図５３、図５５、図５７および図５９に見られる横方向の白い線は、頭部傾き設定装置１９の下端に取り付けられた水平板２０の像であり、フランクフルト平面を示す。また、図２６、図２８、図３０、図３２、図３４、図３６、図３８、図４０、図４２、図４４、図４６、図４８、図５０、図５２、図５４、図５６、図５８および図６０はそれぞれ被験者１〜１８の後前方向頭部Ｘ線規格写真を示す。
【００９４】
図６１は、被験者１９の頭部２１のフランクフルト平面が床面に平行になる位置で撮影した後前方向頭部Ｘ線規格写真を示す。また、図６２は、被験者１９の顔面高位で撮影した後前方向頭部Ｘ線規格写真を示す。また、図６３は、被験者１９の顔面低位で撮影した後前方向頭部Ｘ線規格写真を示す。
【００９５】
図２５〜図６０より、被験者１〜１８のいずれも、側方頭部Ｘ線規格写真および前後方向頭部Ｘ線規格写真を頭部のフランクフルト平面が床面に平行になる位置で撮影できていることが分かる。また、図６１〜図６３より、顔面高位および顔面低位で撮影した後前方向頭部Ｘ線規格写真は、頭部２１のフランクフルト平面が床面に平行になる位置で撮影した後前方向頭部Ｘ線規格写真と比べて印象が大きく異なることが分かる。
【００９６】
被験者２０〜２２の側方頭部Ｘ線規格写真を、頭部傾き設定装置１９を用いることにより、頭部２１のフランクフルト平面が床面に平行になる位置で撮影した。ただし、頭部傾き設定装置１９としては、第１１の実施の形態において用いた、マーク９１、９２が設けられ、長さを示す目盛が設けられた頭部傾き設定装置１９を用いた。マーク９１、９２としては、市販の鉄鋼（スチール）製の釘の先端部を切断したものを用い、これをアクリル製の透明板に埋め込んだ。撮影は中心咬合位またはそれに準じる位置で行った。図６４〜図６６はそれぞれ被験者２０〜２２の側方頭部Ｘ線規格写真を示す。ここで、図６４〜図６６に見られる横方向の白い線は、頭部傾き設定装置１９の下端に取り付けられた水平板２０の像であり、フランクフルト平面を示す。また、図６４〜図６６には、マーク９１、９２の像が二重丸として観察される。市販の鉄鋼（スチール）製の釘の先端部を切断したものをマーク９１、９２として用いるだけで、このように二重丸の像を簡単に得ることができる。
【００９７】
〈１３．第１３の実施の形態〉
第１の実施の形態においては、図５に示すように、検査者が頭部２１の顔面の所定の基準点（第２の基準点）、例えばオルビターレに貼ったシール２２を頭部２１の側方から見ることが難しい場合には、顔面上のこのシール２２から水平方向の外側に例えば５〜２０ｍｍ離れた位置にもシール２２を貼ることがあることを説明したが、第１３の実施の形態においては、オルビターレに貼ったシール２２から水平方向の位置に精度良くシール２２を貼る方法について説明する。
【００９８】
まず、シール２２としては、図６７に示すように、中心にある小さな円形の領域２２ａとその周りを取り巻く環状の領域２２ｂとからなる円形のシール２２を用いる。領域２２ａの直径ｄおよび領域２２ｂの外形の直径（シール２２の外形の直径）Ｄは、検査者がシール２２および中心の領域２２ａを視認しやすいように選ばれる。具体的には、例えば、ｄは１ｍｍ以上２ｍｍ以下（例えば、１．５ｍｍ）、Ｄは５ｍｍ以上９ｍｍ（例えば、６．５ｍｍ）に選ばれるが、これに限定されるものではない。また、領域２２ａおよび領域２２ｂの色は、検査者がシール２２および中心の領域２２ａを視認しやすいように選ばれる。具体的には、例えば、領域２２ａは白、領域２２ｂは黒、あるいは、領域２２ａは黒、領域２２ｂは赤色に選ばれるが、これに限定されるものではない。
【００９９】
図６７に示すシール２２を用いて、オルビターレに貼ったシール２２から水平方向の位置に精度良くシール２２を貼る方法について説明する。
【０１００】
まず、図６８に示すように、第１の実施の形態で説明した方法でオルビターレにシール２２を、このシール２２の中心がオルビターレに一致するように貼る。
【０１０１】
一方、図６９に示すように、ポリオンから顔面側の水平方向に少し離れた位置（例えば、３ｍｍ以上１０ｍｍ以下離れた位置）にシール２２を貼る。
【０１０２】
次に、図７０Ａ〜Ｃに示すフランクフルト平面指示ゲージ１００を用い、オルビターレに貼ったシール２２の中心とポリオンから少し離れた位置に貼ったシール２２の中心とを結ぶ平面を次のようにして決定する。ここで、図７０Ａはフランクフルト平面指示ゲージ１００の平面図、図７０Ｂは正面図、図７０Ｃは斜視図である。図７０Ａ〜Ｃに示すように、フランクフルト平面指示ゲージ１００は、全体として細長い長方形の板が頭部２１の顔面の眼の下の部分から耳にかけての部分にフィットするように湾曲した形状を有し、ほぼ平面状の第１の部分１００ａ、湾曲した第２の部分１００ｂおよびほぼ平板状の第３の部分１００ｃからなる。第１の部分１００ａは頭部２１の顔面の眼の下の部分に当てる部分、第３の部分１００ｃは頭部２１の側面に当てる部分であり、第１の部分１００ａの長さは第３の部分１００ｃの長さより短くなっている。フランクフルト平面指示ゲージ１００は、第１の部分１００ａおよび第３の部分１００ｃに力を加えることにより、湾曲部１００ｂを中心に第１の部分１００ａおよび第３の部分１００ｃを回転させ、第１の部分１００ａと第３の部分１００ｃとの間の角度を変化させることができるようになっている。フランクフルト平面指示ゲージ１００は、例えばアクリルやＰＥＴなどの透明プラスチック材料により形成されるが、これに限定されるものではなく、使用材料や透明にするか不透明にするかは必要に応じて選ばれる。フランクフルト平面指示ゲージ１００の上端面１００ｄは例えば黒色に着色されている。また、フランクフルト平面指示ゲージ１００の上部側面には目盛（例えば、１ｍｍ単位の目盛）が付けられており、フランクフルト平面指示ゲージ１００の長さ方向の距離を測定することができるようになっている。フランクフルト平面指示ゲージ１００の具体例を挙げると、材質はアクリル、第１の部分１００ａの長さは約３ｃｍ、第３の部分１００ｃの長さは約７ｃｍ、第２の部分１００ｂの長さは約３ｃｍ、高さは約３ｃｍ、厚さは約１ｍｍである。頭部２１の大きさは、成人か子供か、男性か女性かなどによって異なるため、サイズの異なる複数種類のフランクフルト平面指示ゲージ１００を用意しておき、その中から患者の頭部２１の大きさに合うものを選んで用いることも有効である。
【０１０３】
図７１および図７２に示すように、フランクフルト平面指示ゲージ１００を、第１の部分１００ａが頭部２１の顔面の眼の下の部分に当たり、第３の部分１００ｃが頭部２１の側面に当たるように頭部２１の顔面に軽く押し付ける。そして、第１の部分１００ａの上端面１００ｄが、オルビターレに貼られたシール２２の領域２２ａの中心と一致し、第３の部分１００ｃの上端面１００ｄがポリオンの近くに貼られたシール２２の領域２２ａの中心と一致するようにフランクフルト平面指示ゲージ１００を位置決めする。
【０１０４】
図７３に示すように、上述のようにして位置決めしたフランクフルト平面指示ゲージ１００の位置がずれないように注意して、このフランクフルト平面指示ゲージ１００の第３の部分１００ｃを頭部２１の側面から少しだけ浮かし、それによって第３の部分１００ｃと頭部２１の顔面との間に形成される隙間からシール２２を挿入し、シール２２の領域２２ａの中心がフランクフルト平面指示ゲージ１００の上端面１００ｄと一致するように頭部２１の側面に貼る。この際、フランクフルト平面指示ゲージ１００の側面に、シール２２を貼る位置を示すシール２２をあらかじめ貼っておいてもよい（図７０ＢおよびＣ）。これによって、オルビターレに貼ったシール２２から水平方向の位置に精度良くシール２２を貼ることができる。
【０１０５】
あるいは、図７３において一点鎖線で示すように、第１の部分１００ａの上端面１００ｄがオルビターレに貼られたシール２２の下端と一致し、第３の部分１００ｃの上端面１００ｄがポリオンの近くに貼られたシール２２の下端と一致するようにフランクフルト平面指示ゲージ１００を位置決めし、フランクフルト平面指示ゲージ１００の側面にあらかじめ貼られたシール２２の上方の頭部２１の側面にシール２２をその下端がフランクフルト平面指示ゲージ１００の上端面１００ｄと一致するように貼ってもよい。これによっても、オルビターレに貼ったシール２２から水平方向の位置に精度良くシール２２を貼ることができる。
【０１０６】
この第１３の実施の形態によれば、図６７に示すシール２２と図７０Ａ〜Ｃに示すフランクフルト平面指示ゲージ１００とを用いることにより、オルビターレに貼ったシール２２から水平方向の位置に精度良くシール２２を貼ることができる。
【０１０７】
〈１４．第１４の実施の形態〉
第１の実施の形態において説明したように、頭部傾き設定装置１９を用いて撮影時の頭部２１の前後方向の傾きを所望の傾きに設定することができることにより、例えば、側方頭部Ｘ線規格写真および後前方向頭部Ｘ線規格写真を、頭部２１の前後方向の傾きが同一の状態、具体的には、例えば被検体の頭部２１のフランクフルト平面が床面に平行な状態で撮影することができる。第１４の実施の形態においては、こうして撮影された側方頭部Ｘ線規格写真および後前方向頭部Ｘ線規格写真を用いて、被検体の頭部２１の頭蓋骨を三次元的に解析する方法について説明する。
【０１０８】
図７４は側方頭部Ｘ線規格写真における計測点を示す。ここで、Ｓはセラ（Sella)の略号で、蝶形骨トルコ鞍の壺状形陰影像の中心点である。Ｎはナジオン（Nasion) の略号で、鼻骨前頭縫合の最前点である。Ｇｏはゴニオン（Gonion）の略号で、顎関節頭後縁平面と下顎角後縁部とを結んだ線と下顎下縁平面（mandibular plane) とが交わる角の２等分線が下顎角と交わる点である。Ｍｅはメントン（menton）の略号で、オトガイの正中断面像の最下点である。Ｃｄは下顎頭の最上点（コンディリオン（condylion)）である。
【０１０９】
図７５に示すように、被検体の頭部２１のフランクフルト平面が床面に平行になるようにして側方頭部Ｘ線規格写真および後前方向頭部Ｘ線規格写真を撮影し、これらの撮影画像をフランクフルト平面が同じ高さになるようにして、コンピュータに接続されたディスプレイ上に並べて表示する。そして、例えば、ディスプレイに撮影画像を表示した状態においてディスプレイ上でマウスを用いてカーソルを側方頭部Ｘ線規格写真上のＳ、  Ｎ、Ｇｏ、ＣｄおよびＭｅ上に移動してクリックすることにより、あるいは、タッチパネルディスプレイを用いる場合には、ディスプレイ上で手の指やタッチペンなどでＳ、  Ｎ、Ｇｏ、ＣｄおよびＭｅをタッチすることにより、Ｓ、  Ｎ、Ｇｏ、ＣｄおよびＭｅを検出する。一方、後前方向頭部Ｘ線規格写真上で鼻骨を左右に２分割する正中矢状面を示す垂直な線を引く。Ｎはこの線上に位置するので、側方頭部Ｘ線規格写真上のＮを後前方向頭部Ｘ線規格写真の正中矢状面に垂直に投影した点を後前方向頭部Ｘ線規格写真上のＮとする。同様にして、側方頭部Ｘ線規格写真上のＳを後前方向頭部Ｘ線規格写真の正中矢状面に垂直に投影した点を後前方向頭部Ｘ線規格写真上のＳとする。また、後前方向頭部Ｘ線規格写真上では、ＧｏおよびＣｄは左右にそれぞれあるため、右のＧｏおよびＣｄをそれぞれＧｏR およびＣｄR 、左のＧｏおよびＣｄをそれぞれＧｏL およびＣｄL と表示する。側方頭部Ｘ線規格写真上では、ＧｏR およびＧｏL が互いに分離して観察されることもあるし、両者の平均的な点としてのＧｏが観察されることもある。同様に、側方頭部Ｘ線規格写真上では、ＣｄR およびＣｄL が互いに分離して観察されることもあるし、両者の平均的な点としてのＣｄが観察されることもある。必要に応じて、後前方向と前後方向との中間の任意の方向（例えば、図１０においてβ＝４５°の方向）から撮影した頭部Ｘ線写真を併用することにより、ＧｏR およびＧｏL を互いに分離して観察しやすくなり、あるいはＣｄR およびＣｄL を互いに分離して観察しやすくなる。
【０１１０】
図７６は後前方向頭部Ｘ線規格写真上の計測点Ｓ、  Ｎ、ＧｏR 、ＧｏL 、ＣｄR およびＣｄL を示す。正中矢状面からＧｏR およびＧｏL までの距離をそれぞれＬ1RおよびＬ1Lとする。また、ＧｏR およびＧｏL を通る水平線とＳを通る水平線との間の最短距離をそれぞれＬ2RおよびＬ2Lとする。また、ＧｏR およびＧｏL を通る水平線とＮを通る水平線との間の最短距離をそれぞれＬ3RおよびＬ3Lとする。また、正中矢状面からＣｄR およびＣｄL までの距離をそれぞれＬ4RおよびＬ4Lとする。また、ＧｏR を通る水平線とＣｄR を通る水平線との間の最短距離をＬ5R、ＧｏL を通る水平線とＣｄL を通る水平線との間の最短距離をＬ5Lとする。
【０１１１】
図７６より頭蓋骨の左右の非対称性を分析することができる。例えば、ａ≡Ｌ1L−Ｌ1Rとすると、ａはＧｏR およびＧｏL の水平方向の非対称性を表す長さとなる。ａは正、０または負である。また、ｂはＧｏR およびＧｏL の鉛直方向のずれを表す長さとなる。ｂは正、０または負である。また、ＳとＧｏR との間の距離を（Ｓ−ＧｏR ）、ＳとＧｏL との間の距離を（Ｓ−ＧｏL ）とすると、（Ｓ−ＧｏL ）−（Ｓ−ＧｏR ）はＳとＧｏR との間の距離とＳとＧｏL との間の距離との差を表す長さとなる。ここで、（Ｓ−ＧｏR ）＝（Ｌ1R2 ＋Ｌ2R2 ）1/2 、（Ｓ−ＧｏL ）＝（Ｌ1L2 ＋Ｌ2L  ）1/2 である。同様に、ＮとＧｏR との間の距離を（Ｎ−ＧｏR ）、ＮとＧｏL との間の距離を（Ｎ−ＧｏL ）とすると、（Ｎ−ＧｏL ）−（Ｎ−ＧｏR ）はＮとＧｏR との間の距離とＮとＧｏL との間の距離との差を表す長さとなる。ここで、（Ｎ−ＧｏR ）＝（Ｌ1R2 ＋Ｌ3R2 ）1/2 、（Ｎ−ＧｏL ）＝（Ｌ1L2 ＋Ｌ3L2 ）1/2 である。また、ｃ≡Ｌ4L−Ｌ4Rとすると、ｃはＣｄR およびＣｄL の水平方向の非対称性を表す長さとなる。ｃは正、０または負である。また、ｄはＣｄR およびＣｄL の鉛直方向のずれを表す長さとなる。ｂは正、０または負である。また、ＧｏR とＣｄR との間の距離（後前方向頭部Ｘ線規格写真上の右下顎枝の長さに相当する）を（ＧｏR −ＣｄR ）、ＧｏL とＣｄL との間の距離（後前方向頭部Ｘ線規格写真上の左下顎枝の長さに相当する）を（ＧｏL −ＣｄL ）とすると、（ＧｏL −ＣｄL ）−（ＧｏR −ＣｄR ）は後前方向頭部Ｘ線規格写真上の右下顎枝の長さと左下顎枝の長さとの差を表す長さとなる。ここで、（ＧｏR −ＣｄR ）＝（（Ｌ4R−Ｌ1R）2 ＋Ｌ5R2 ）1/2 、（ＧｏL −ＣｄL ）＝（（Ｌ4L−Ｌ1L）2 ＋Ｌ5L2 ）1/2 である。
【０１１２】
側方頭部Ｘ線規格写真上でＧｏR およびＧｏL あるいはＣｄR およびＣｄL が互いに分離して観察される場合には、次のような分析を行うこともできる。図７７はＳ、ＧｏR およびＧｏL を水平面に投影した図である。図７７に示すように、前頭面に平行な、Ｓを含む面とＧｏR およびＧｏL との間の距離をそれぞれＬ6RおよびＬ6Lとすると、ｅ≡Ｌ6L−Ｌ6Rは水平面内でのＧｏR とＧｏL との前後方向のずれを表す。ｅは正、０または負である。この場合、三次元空間でのＳとＧｏR との間の距離を（Ｓ−ＧｏR ）3D、ＳとＧｏL との間の距離を（Ｓ−ＧｏL ）3Dとすると、（Ｓ−ＧｏL ）3D−（Ｓ−ＧｏR ）3Dは三次元空間でのＳとＧｏR との間の距離とＳとＧｏL との間の距離との差を表す。ここで、（Ｓ−ＧｏR ）3D＝（Ｌ1R2 ＋Ｌ2R2 ＋Ｌ6R2 ）1/2 、（Ｓ−ＧｏL ）3D＝（Ｌ1L2 ＋Ｌ2L  ＋Ｌ6L2 ）1/2 である。図７８はＮ、ＧｏR およびＧｏL を水平面に投影した図である。図７８に示すように、前頭面に平行な、Ｎを含む面とＧｏR およびＧｏL との間の距離をそれぞれＬ7RおよびＬ7Lとすると、ｅ≡Ｌ7L−Ｌ7Rは水平面内でのＧｏR とＧｏL との前後方向のずれを表す。ｅは正、０または負である。この場合、三次元空間でのＮとＧｏR との間の距離を（Ｎ−ＧｏR ）3D、ＮとＧｏL との間の距離を（Ｎ−ＧｏL ）3Dとすると、（Ｎ−ＧｏL ）3D−（Ｎ−ＧｏR ）3Dは三次元空間でのＮとＧｏR との間の距離とＮとＧｏL との間の距離との差を表す。ここで、（Ｎ−ＧｏR ）3D＝（Ｌ1R2 ＋Ｌ3R2 ＋Ｌ7R2 ）1/2 、（Ｓ−ＧｏL ）3D＝（Ｌ1L2 ＋Ｌ3L2 ＋Ｌ7L2 ）1/2 である。図７９はＳ、ＣｄR およびＣｄL を水平面に投影した図である。図７９に示すように、前頭面に平行な、Ｓを含む面とＣｄR およびＣｄL との間の距離をそれぞれＬ8RおよびＬ8Lとすると、ｆ≡Ｌ8L−Ｌ8Rは水平面内でのＣｄR とＣｄL との前後方向のずれを表す。ｆは正、０または負である。この場合、三次元空間でのＳとＣｄR との間の距離を（Ｓ−ＣｄR ）3D、ＳとＣｄL との間の距離を（Ｓ−ＣｄL ）3Dとすると、（Ｓ−ＣｄL ）3D−（Ｓ−ＣｄR ）3Dは三次元空間でのＳとＣｄR との間の距離とＳとＣｄL との間の距離との差を表す。ここで、（Ｓ−ＣｄR ）3D＝（（Ｌ4R2 ＋（Ｌ2R−Ｌ5R）2 ＋Ｌ8R2 ）1/2 、（Ｓ−ＣｄL ）3D＝（（Ｌ4L2 ＋（Ｌ2L−Ｌ5L）2 ＋Ｌ8L2 ）1/2 である。図８０はＮ、ＣｄR およびＣｄL を水平面に投影した図である。図８０に示すように、前頭面に平行な、Ｎを含む面とＣｄR およびＣｄL との間の距離をそれぞれＬ9RおよびＬ9Lとすると、ｆ≡Ｌ9L−Ｌ9Rは水平面内でのＣｄR とＣｄL との前後方向のずれを表す。ｆは正、０または負である。この場合、三次元空間でのＮとＣｄR との間の距離を（Ｎ−ＣｄR ）3D、ＮとＣｄL との間の距離を（Ｎ−ＣｄL ）3Dとすると、（Ｎ−ＣｄL ）3D−（Ｎ−ＣｄR ）3Dは三次元空間でのＮとＣｄR との間の距離とＮとＣｄL との間の距離との差を表す。ここで、（Ｎ−ＣｄR ）3D＝（（Ｌ4R2 ＋（Ｌ2R−Ｌ5R）2 ＋Ｌ9R2 ）1/2 、（Ｎ−ＣｄL ）3D＝（（Ｌ4L2 ＋（Ｌ2L−Ｌ5L）2 ＋Ｌ9L2 ）1/2 である。
【０１１３】
この第１４の実施の形態によれば、被検体の頭部２１のフランクフルト平面が床面に平行な状態で撮影された側方頭部Ｘ線規格写真および後前方向頭部Ｘ線規格写真を用いて、被検体の頭部２１の頭蓋骨を三次元的に解析することができる。
【０１１４】
以上、この発明の実施の形態および実施例について具体的に説明したが、この発明は、上述の実施の形態および実施例に限定されるものではなく、この発明の技術的思想に基づく各種の変形が可能である。
【０１１５】
例えば、上述の実施の形態および実施例において挙げた数値、形状、材質、構成、手順などはあくまでも例に過ぎず、必要に応じてこれらと異なる数値、形状、材質、構成、手順などを用いてもよい。
【０１１６】
また、上述の第１〜第１２の実施の形態において、後前方向頭部Ｘ線規格写真あるいは前後方向頭部Ｘ線規格写真を撮影する場合には、Ｘ線管１１ａからＸ線検出部１５に至るＸ線の経路中に例えば図２３に示す透明板９３を挿入することにより、Ｘ線検出部１５により検出される透過Ｘ線画像において、頭部２１の像に加えてマーク９４、９５の像も撮影することができるため、第１１または第１２の実施の形態と同様の方法により、例えば、イヤーロッド１７、１８の中心軸を含む鉛直面上の実際の距離を求めることができる。後前方向と前後方向との中間の任意の方向から頭部Ｘ線写真を撮影する場合においても同様である。
【符号の説明】
【０１１７】
１１…Ｘ線発生部、１１ａ…Ｘ線管、１２、１３…アーム、１２ａ、１３ａ…下部、１２ｂ、１３ｂ…上部、１４…アーム制御装置、１５…Ｘ線検出部、１６…基準線、１７、１８…イヤーロッド、１９…頭部傾き設定装置、２０、９３…水平板、２１…頭部、２２…シール、５１…支持台、５２…支持棒、６１…支持台、６２…支持棒、６３…本体部、６４…支持部材、７１…アーム下部傾き設定装置、８１…折り畳み定規状水平板、８２…着色線、８３…光学装置、８４…Ｘ線遮蔽カバー、８５…可視光ビーム、８６、８７、８８…保持具、９１、９２、９４、９５…マーク、１００…フランクフルト平面指示ゲージ
【図１】
2014138692.tif 000003
【図２】
2014138692.tif 000004
【図３】
2014138692.tif 000005
【図４】
2014138692.tif 000006
【図５】
2014138692.tif 000007
【図６】
2014138692.tif 000008
【図７】
2014138692.tif 000009
【図８】
2014138692.tif 000010
【図９】
2014138692.tif 000011
【図１０】
2014138692.tif 000012
【図１１】
2014138692.tif 000013
【図１２】
2014138692.tif 000014
【図１３】
2014138692.tif 000015
【図１４】
2014138692.tif 000016
【図１５】
2014138692.tif 000017
【図１６】
2014138692.tif 000018
【図１７】
2014138692.tif 000019
【図１８】
2014138692.tif 000020
【図１９】
2014138692.tif 000021
【図２０】
2014138692.tif 000022
【図２１】
2014138692.tif 000023
【図２２】
2014138692.tif 000024
【図２３】
2014138692.tif 000025
【図２４】
2014138692.tif 000026
【図６７】
2014138692.tif 000027
【図６８】
2014138692.tif 000028
【図６９】
2014138692.tif 000029
【図７０】
2014138692.tif 000030
【図７１】
2014138692.tif 000031
【図７２】
2014138692.tif 000032
【図７３】
2014138692.tif 000033
【図７４】
2014138692.tif 000034
【図７５】
2014138692.tif 000035
【図７６】
2014138692.tif 000036
【図７７】
2014138692.tif 000037
【図７８】
2014138692.tif 000038
【図７９】
2014138692.tif 000039
【図８０】
2014138692.tif 000040
【図２５】
2014138692.tif 000041
【図２６】
2014138692.tif 000042
【図２７】
2014138692.tif 000043
【図２８】
2014138692.tif 000044
【図２９】
2014138692.tif 000045
【図３０】
2014138692.tif 000046
【図３１】
2014138692.tif 000047
【図３２】
2014138692.tif 000048
【図３３】
2014138692.tif 000049
【図３４】
2014138692.tif 000050
【図３５】
2014138692.tif 000051
【図３６】
2014138692.tif 000052
【図３７】
2014138692.tif 000053
【図３８】
2014138692.tif 000054
【図３９】
2014138692.tif 000055
【図４０】
2014138692.tif 000056
【図４１】
2014138692.tif 000057
【図４２】
2014138692.tif 000058
【図４３】
2014138692.tif 000059
【図４４】
2014138692.tif 000060
【図４５】
2014138692.tif 000061
【図４６】
2014138692.tif 000062
【図４７】
2014138692.tif 000063
【図４８】
2014138692.tif 000064
【図４９】
2014138692.tif 000065
【図５０】
2014138692.tif 000066
【図５１】
2014138692.tif 000067
【図５２】
2014138692.tif 000068
【図５３】
2014138692.tif 000069
【図５４】
2014138692.tif 000070
【図５５】
2014138692.tif 000071
【図５６】
2014138692.tif 000072
【図５７】
2014138692.tif 000073
【図５８】
2014138692.tif 000074
【図５９】
2014138692.tif 000075
【図６０】
2014138692.tif 000076
【図６１】
2014138692.tif 000077
【図６２】
2014138692.tif 000078
【図６３】
2014138692.tif 000079
【図６４】
2014138692.tif 000080
【図６５】
2014138692.tif 000081
【図６６】
2014138692.tif 000082